(57)【特許請求の範囲】
【請求項１】
浄水フィルタを備えた浄水器を通過した上水道水を導入してイオン水を生成する電解槽を備え、スイッチ装置によって一方の吐出パイプからアルカリ水と酸性水を選択的に注出すると共に他方の吐出パイプから余水を取り出す整水装置において、前記電解槽に電気的に接続される電装部品と前記電解槽が箱体に収納されて整水ユニットを構成し、前記スイッチ装置は流し台の上面に突出した前記両吐出パイプをカバーすると共に前面にスイッチタッチ面を備え内部にスイッチが収納される水栓ケースに取り付けられており、前記浄水器と前記浄水器を通過した上水道水を前記電解槽に導入するパイプと前記両吐出パイプとが前記流し台のシンクの後側に形成される空間の奥行き寸法内で前記シンク下方空間の奥に設置され、前記両吐出パイプが前記空間に侵入した状態に配置され、前記一方の吐出パイプに接続されて吐出口が下向くように屈曲した直径の大きいメインパイプが前記水栓ケースの上面より上方へ延び、前記他方の吐出パイプに接続されて吐出口が下向くように屈曲した直径の小さいサブパイプが前記水栓ケースの上面より上方へ延び、前記メインパイプと前記サブパイプの立ち上がり高さ、及び前記メインパイプと前記サブパイプの吐出口の高さを、それぞれ同等または略同等にし、前記メインパイプが前記サブパイプより上方となる状態で前記メインパイプと前記サブパイプはそれぞれ接続環によって前記各吐出パイプに回動可能に接続されたことを特徴とする整水装置。
【請求項２】
浄水フィルタを備えた浄水器を通過した上水道水を導入してイオン水を生成する電解槽を備え、スイッチ装置によって一方の吐出パイプからアルカリ水と酸性水を選択的に注出すると共に他方の吐出パイプから余水を取り出す整水装置において、前記電解槽に電気的に接続される電装部品と前記電解槽が箱体に収納されて整水ユニットを構成し、前記スイッチ装置は流し台の上面に突出した前記両吐出パイプをカバーすると共に前面にスイッチタッチ面を備え内部にスイッチが収納される水栓ケースに取り付けられており、前記浄水器と前記浄水器を通過した上水道水を前記電解槽に導入するパイプと前記両吐出パイプと前記整水ユニットとが前記流し台のシンクの後側に形成される空間の奥行き寸法内で前記シンク下方空間の奥に設置され、前記整水ユニットの上部と前記両吐出パイプとが前記空間に侵入した状態に配置され、前記一方の吐出パイプに接続されて吐出口が下向くように屈曲した直径の大きいメインパイプが前記水栓ケースの上面より上方へ延び、前記他方の吐出パイプに接続されて吐出口が下向くように屈曲した直径の小さいサブパイプが前記水栓ケースの上面より上方へ延び、前記メインパイプと前記サブパイプの立ち上がり高さ、及び前記メインパイプと前記サブパイプの吐出口の高さを、それぞれ同等または略同等にし、前記メインパイプが前記サブパイプより上方となる状態で前記メインパイプと前記サブパイプはそれぞれ接続環によって前記各吐出パイプに回動可能に接続されたことを特徴とする整水装置。
【発明の詳細な説明】
【０００１】
【発明の属する技術分野】
本発明は、浄水フィルタを備えた浄水器を通過した上水道水を電解槽に導入して生成したイオン水を吐出パイプから取り出す整水装置に関し、特にシンクを備えた流し台に収納設置するタイプの整水装置に関する。
【０００２】
【従来の技術】
従来、浄水フィルタを備えた浄水器を通過した上水道水を電解槽に導入してイオン水を生成し、このイオン水を吐出パイプから取り出す整水装置があり、この整水装置を構成する浄水器、電解槽、イオン水の取り出しと停止を制御するスイッチ装置、イオン水の吐出パイプが一つの箱に収納されたものや、これらが個々に構成されたものがある。
【０００３】
このように一つの箱に収納されたものは、流し台の上や流し台の前方の出窓に設置して使用しているが、この整水装置がその設置によって流し台の上や流し台の前方の出窓部分を占有し、流し台の上や出窓部分の使用範囲が制限される問題がある。
【０００４】
これに対して、整水装置を構成する浄水器、電解槽、イオン水の取り出しと停止を制御するスイッチ装置、イオン水の吐出パイプを個々に構成して、これらがそれぞれ流し台に取り付けられるようにしたものがある。
【０００５】
この場合、イオン水の取り出しと停止を制御するスイッチ装置とイオン水の吐出パイプは、流し台の上面に突出するように取り付けられるが、電解槽とこれに接続される電装部品は一つの箱に収納されて流し台のシンク下方空間の底板に設置されて、別個に取り付けた浄水器とパイプ接続され、イオン水の取り出しと停止を制御するスイッチ装置と電装部品とが電気接続される。
【０００６】
このため、電解槽とこれに接続される電装部品を収納した箱によって、流し台の下部空間は制限され、物の出し入れに流し台のシンク下方空間を利用することが不便になる等、流し台のシンク下方空間の利用範囲が制限される。
【０００７】
【発明が解決しようとする課題】
本発明は、このような点に鑑みて、電解槽とこれに接続される電装部品の設置によって、流し台のシンク下方空間が物の出し入れに不便にならないような設置に適する整水装置を提供するものである。
【０００８】
【課題を解決するための手段】
本発明は、浄水フィルタを備えた浄水器を通過した上水道水を導入してイオン水を生成する電解槽を備え、スイッチ装置によって一方の吐出パイプからアルカリ水と酸性水を選択的に注出すると共に他方の吐出パイプから余水を取り出す整水装置において、前記電解槽に電気的に接続される電装部品と前記電解槽が箱体に収納されて整水ユニットを構成し、前記スイッチ装置は流し台の上面に突出した前記両吐出パイプをカバーすると共に前面にスイッチタッチ面を備え内部にスイッチが収納される水栓ケースに取り付けられており、前記浄水器と前記浄水器を通過した上水道水を前記電解槽に導入するパイプと前記両吐出パイプとが前記流し台のシンクの後側に形成される空間の奥行き寸法内で前記シンク下方空間の奥に設置され、前記両吐出パイプが前記空間に侵入した状態に配置され、前記一方の吐出パイプに接続されて吐出口が下向くように屈曲した直径の大きいメインパイプが前記水栓ケースの上面より上方へ延び、前記他方の吐出パイプに接続されて吐出口が下向くように屈曲した直径の小さいサブパイプが前記水栓ケースの上面より上方へ延び、前記メインパイプと前記サブパイプの立ち上がり高さ、及び前記メインパイプと前記サブパイプの吐出口の高さを、それぞれ同等または略同等にし、前記メインパイプが前記サブパイプより上方となる状態で前記メインパイプと前記サブパイプはそれぞれ接続環によって前記各吐出パイプに回動可能に接続されたことを特徴とする整水装置である。
【００１０】
このような構成によって、前記整水ユニットは、シンクの後側に形成される空間の奥行き範囲内に設置できるため、シンク下方空間は物の収納空間として有効利用できる。
【００１１】
そして、前記流し台の上面に突出するように取り付けた前記吐出パイプの出口パイプと前記スイッチ装置に対する配管と電気配線も、デッドスペースであるこのシンク後方の空間から上方へ延ばして行うことができ、このような配管と電気配線がシンク下方空間に延びて物の出し入れの邪魔になったり破損したり等の問題もない。
【００１２】
また、もう一つの発明の整水装置は、浄水フィルタを備えた浄水器を通過した上水道水を導入してイオン水を生成する電解槽を備え、スイッチ装置によって一方の吐出パイプからアルカリ水と酸性水を選択的に注出すると共に他方の吐出パイプから余水を取り出す整水装置において、前記電解槽に電気的に接続される電装部品と前記電解槽が箱体に収納されて整水ユニットを構成し、前記スイッチ装置は流し台の上面に突出した前記両吐出パイプをカバーすると共に前面にスイッチタッチ面を備え内部にスイッチが収納される水栓ケースに取り付けられており、前記浄水器と前記浄水器を通過した上水道水を前記電解槽に導入するパイプと前記両吐出パイプと前記整水ユニットとが前記流し台のシンクの後側に形成される空間の奥行き寸法内で前記シンク下方空間の奥に設置され、前記整水ユニットの上部と前記両吐出パイプとが前記空間に侵入した状態に配置され、前記一方の吐出パイプに接続されて吐出口が下向くように屈曲した直径の大きいメインパイプが前記水栓ケースの上面より上方へ延び、前記他方の吐出パイプに接続されて吐出口が下向くように屈曲した直径の小さいサブパイプが前記水栓ケースの上面より上方へ延び、前記メインパイプと前記サブパイプの立ち上がり高さ、及び前記メインパイプと前記サブパイプの吐出口の高さを、それぞれ同等または略同等にし、前記メインパイプが前記サブパイプより上方となる状態で前記メインパイプと前記サブパイプはそれぞれ接続環によって前記各吐出パイプに回動可能に接続されたことを特徴とする。
【００１３】
流し台の上面に突出する出口パイプを二本設けて、一方のパイプを直径の大きいメインパイプとし、他方パイプを直径の小さいサブパイプとし、スイッチ装置のスイッチ操作によって、メインパイプからアルカリ水と酸性水を選択的に注出し、サブパイプから余水として排出するようにした場合、スイッチＯＦＦ時における両パイプからの水切りを同時且つ短時間として、一方のパイプからの水切りが長く続くことによる不快感を拭うことができる。
【００１４】
これは、流し台の上方への両パイプの立ち上がり高さを可能な条件の範囲で低くし、両パイプの立ち上がり高さとその吐出口を同等又は略同等になるように構成することによって、両パイプの吐出口の水頭差を減らし水頭差によるメインパイプからの逆流によるサブパイプからの水切れ時間を短くすることで、それを達成することができる。
【００１５】
【発明の実施の形態】
次に、本発明の実施の形態について説明する。各図は本発明の実施形態を示しており、図１は本発明の整水装置を流し台に設置した状態の正面視での説明図、図２は本発明の整水装置を流し台に設置した状態の側面視での説明図、図３は本発明の整水ユニットの背面図、図４は本発明の整水ユニットの平面図、図５は本発明の整水ユニットの内部説明図、図６はスイッチ装置の内部構造を示す説明図である。
【００１６】
本発明の整水装置の構成を図に基づき説明する。本発明の整水装置１は、浄水フィルタを備えた浄水器２を通過した上水道水を電解槽３に導入して生成したイオン水を吐出パイプ４から取り出すものであり、電解槽３に電気的に接続される電装部品５が電解槽３の上方に配置された状態で電解槽３と電装部品５が一つの箱体６に収納されて整水ユニット７を構成し、イオン水の取り出しと停止を制御するスイッチ装置８を、後述のように水栓ケース８０を介して吐出パイプ４の一部分に取り付けた構成である。
【００１７】
また、箱体６の前壁は、電装部品５を収納する部分の前壁６Ａよりも電解槽３を収納する部分の前壁６Ｂが前方に張り出して段部９を形成し、浄水器２を通過した上水道水が電解槽３に導かれるパイプ１０は、電装部品５の前方の箱体６前壁６Ａの前面に沿って段部９を貫通して電解槽３に接続している。図５に示すように、パイプ１０は、電解槽３と箱体６の前壁６Ａとの間で箱体６内に収納される部分１０Ａと、箱体６前壁６Ａの前面に沿って段部９上方へ延びる部分１０Ｂとの分割されており、両パイプ１０Ａ、１０Ｂは段部９の外側において接続環１１によって接続されている。４５は電装部品５への電源供給ラインである。
【００１８】
１２は市井の上水道水の供給パイプを開閉する止水栓を回すための回転摘みであり、この回転摘み１２によって止水栓を開くことによって、上水道水が電磁弁１４で開閉されるパイプ１３から浄水器２に導入される。この浄水器２は、不織布のフィルタを通して塵を濾過した後、粒状活性炭の浄化層と中空糸膜を順次通して残留塩素、トリハロメタン、農薬、濁り、カルキ臭等を濾過する浄水フィルタを備えている。この浄水器２は、不織布のフィルタ、粒状活性炭の浄化層及び中空糸膜が収納されたカートリッジタイプであり、市場に出回っているカートリッジ構成である。
【００１９】
吐出パイプ４は、二本のパイプ４Ａ、４Ｂで構成している。浄水器２に導入されて浄化された上水道水は、パイプ１０を通って電解槽３に導入される。電解槽３は、プラスとマイナスの電極によって上水道水を電気分解してアルカリイオン水と酸性水（酸性イオン水ともいう）を生成する公知の機能を有する。一方の電極をプラスに、他方の電極をマイナスに通電する（これを「正通電」と称することとする）場合と、これとは逆に電極の極性を逆にするように一方の電極をマイナスに、他方の電極をプラスに通電する（これを「逆通電」と称することとする）場合と、両電極に通電しない場合とにスイッチ装置８によって選択できる。
【００２０】
スイッチ装置８は、スイッチ８Ａ、８Ｂ、８Ｃ、８Ｄを備え、スイッチ８ＡはＯＮごとに三つの状態、即ち、強アルカリイオン水、弱アルカリイオン水、及び浄水の三種類の水を選択するものである。この三つの選択状態は、スイッチ８ＡのＯＮごとに順次点灯が選択される表示灯１７Ａ、１７Ｂ、１７Ｃの点灯によって表示される。スイッチ８Ｃは、酸性水の供給を選択するスイッチであり、ＯＮによって表示灯１８が点灯し再度のＯＮによって表示灯１８が消灯する。スイッチ８Ｂは、スイッチ８Ａ又はスイッチ８ＣをＯＮさせた状態で強アルカリイオン水、弱アルカリイオン水、浄水、又は酸性水の供給を開始し停止する給水ＯＮ―ＯＦＦスイッチである。
【００２１】
スイッチ８Ｄは、浄水器２の浄水フィルタを収納したカートリッジを交換する場合に使用するものであり、スイッチ８ＤをＯＮして表示灯１９を点灯させてカートリッジ交換中を表示し、カートリッジを交換後に再度スイッチ８ＤをＯＮすることによって、表示灯１９が消灯して通常状態に復帰したことを確認できる。
【００２２】
上記正通電は、スイッチ装置８のスイッチ８ＡのＯＮによってアルカリイオン水を選択した状態で給水ＯＮ―ＯＦＦスイッチ８ＢをＯＮさせることによって達成できる。スイッチ８Ａによって、例えば、表示灯１７Ａが点灯する強アルカリイオン水を選択し、給水ＯＮ―ＯＦＦスイッチ８ＢをＯＮさせることによって、電解槽３の前記電極に通電されると共に電磁弁１４が開き、上水道水がパイプ１３から浄水器２を通過して電解槽３へ導入される通路が形成される。電解槽３で生成された強アルカリイオン水が、吐出パイプ４Ａを通ってメインパイプ１５から取り出される。前記電極及び電磁弁１４への通電は、電装部品５の一つである図示しないリレーが自己保持することによって保持される。
【００２３】
この正通電によって酸性水も生成されるため、この酸性水は、吐出パイプ４Ｂを通ってサブパイプ１６から取り出されるが、この場合の正通電は強アルカリイオン水の取り出しが主体であるため、サブパイプ１６から取り出される酸性水は余水として排出される水と考えてよい。正通電の停止は、給水ＯＮ―ＯＦＦスイッチ８Ｂを再度ＯＮさせることによって、前記リレーの自己保持が解除して達成できる。
【００２４】
弱アルカリイオン水の供給は、スイッチ８Ａによって、表示灯１７Ｂが点灯した状態で給水ＯＮ―ＯＦＦスイッチ８ＢをＯＮさせることによって、同様に達成できる。
【００２５】
上記逆通電は、スイッチ装置８のスイッチ８Ｃによって酸性水を選択した状態で給水ＯＮ―ＯＦＦスイッチ８ＢをＯＮさせることによって達成できる。スイッチ８ＣをＯＮさせ、給水ＯＮ―ＯＦＦスイッチ８ＢをＯＮさせることによって、電解槽３の電極に通電されると共に電磁弁１４が開き、上水道水がパイプ１３から浄水器２を通過した後、パイプ１０を介して電解槽３へ導入される通路が形成され、電解槽３で生成された酸性水が、吐出パイプ４Ａを通ってメインパイプ１５から取り出される。電解槽３及び電磁弁１４への通電は、電装部品５の一つである図示しないリレーが自己保持することによって保持される。
【００２６】
この逆通電によってアルカリイオン水も生成されるため、このアルカリイオン水は、吐出パイプ４Ｂを通ってサブパイプ１６から取り出されるが、この逆通電は、酸性水の取り出しが主体であるため、サブパイプ１６から取り出されるアルカリイオン水は、余水として排出される水と考えてよい。この逆通電の停止は、給水ＯＮ―ＯＦＦスイッチ８Ｂを再度ＯＮさせることによって、前記リレーの自己保持が解除して達成できる。
【００２７】
また、浄水の取り出しは、スイッチ８Ａによって表示灯１７Ｃが点灯する状態を選択し、給水ＯＮ―ＯＦＦスイッチ８ＢをＯＮさせることによって達成される。これによって、電解槽３への通電回路は遮断した状態であり、電磁弁１４は通電にて開き、上水道水がパイプ１３から浄水器２を通過して電解槽３へ導入される通路が形成されるが、電解槽３の電極には通電されていないので、上水道水が浄水器２を通過したそのままの状態で吐出パイプ４Ａを通ってメインパイプ１５から取り出される。電磁弁１４への通電は、電装部品５の一つである図示しないリレーが自己保持することによって保持される。
【００２８】
この場合、吐出パイプ４Ｂを通ってサブパイプ１６からも同様の浄水が取り出されるが、このサブパイプ１６から取り出される水は、余水として排出される排水と考えてよい。前記浄水の取り出し停止は、給水ＯＮ―ＯＦＦスイッチ８Ｂを再度ＯＮさせることによって、前記リレーの自己保持が解除して達成できる。
【００２９】
二本の吐出パイプ４Ａ、４Ｂは、それぞれ接続環２０、２１によってメインパイプ１５とサブパイプ１６に接続されており、この接続環２０、２１はスイッチ装置８のコントロールボックス８０の上面に配置しており、メインパイプ１５とサブパイプ１６はこの部分で水密状態で左右に回動可能である。このため、メインパイプ１５とサブパイプ１６の取り付けと交換は、この接続環２０、２１を外すことによって行える。
【００３０】
スイッチ装置８は、吐出パイプ４Ａ、４Ｂを保持しカバーする水栓ケース８０に取り付けられている。水栓ケース８０は、スイッチ装置８に対する電気的絶縁と防水のために合成樹脂製の防水構成であり、前面のスイッチタッチ面は可撓性の合成樹脂フィルムによって水密状態に覆われ、内部にスイッチとそれに係わる取り付け部材やリード線などが収納されている。
【００３１】
２２は一般的な混合栓であり、上水道水をパイプ２５を通してそのまま、または温水供給管路２３からパイプ２４を通して供給される温水と混合して取り出すことができるものである。
【００３２】
本発明の整水装置１は、流し台３０に適用して効果がある構成である。すなわち、流し台３０は、上板３１よりも窪んでシンク３２が形成され、シンク３２の下方空間３３は物品の収納空間である。このような流し台３０において、空間３３の奥壁３４に沿って支持台３５が設けられ、この支持台３５の上面に浄水器３が支持具３６によって着脱自在に保持されている。また整水ユニット７は、浄水器２と横並びの位置において、空間３３の奥壁３４に固定した左右一対の支持具３７に引っ掛けにて保持される。この支持具３７への引っ掛けは、図３に示すように、箱体６の背面板６Ｃに形成した上方が先細った左右一対の係止孔３８に支持具３７の頭が着脱自在に係止することによって達成される。
【００３３】
本発明の整水装置１は、シンク３２の後側に形成される空間４１を利用して流し台３０内に設置されるのに適した構成である。このため、整水ユニット７と浄水器２が上記のように横に並んで配置され、浄水器２を通過した上水道水が電解槽３に導かれるパイプ１０、電解槽３から出口パイプ１５、１６へイオン水を供給する吐出パイプ４Ａ、４Ｂ及び整水ユニット７が、シンク３２の後側に形成される空間４１の奥行き寸法Ｔ内で空間３３の奥に設置されている。その一つの実施形態として、パイプ４Ａ、４Ｂ及び整水ユニット７の上部がこの空間４１に侵入し、スイッチ装置８と電解槽３とを電気的に接続するリード線４６も吐出パイプ４Ａ、４Ｂに沿って配置された設置状態を図示している。そして、吐出パイプ４Ａ、４Ｂの出口パイプ１５、１６とスイッチ装置８は、水栓ケース８０によって流し台３０の上面に突出するように上板３１に取り付けられている。
【００３４】
このため、シンク３２後方のデッドスペース４１を有効利用でき、シンク３２の下方空間３３が十分な広さで使用できる。また、スイッチ装置８の略直下側に電解槽３の収納された箱体６を設置できるため、電解槽３から出口パイプ１５、１６へ至る配管と、スイッチ装置８と電解槽３を接続する電気配線もシンク３２後方の空間４１を略垂直に立ち上がることによって短くできる。
【００３５】
また、上記のように、電解槽３に電気的に接続される電装部品５が電解槽３の上方に配置され、浄水器２を通過した上水道水が電解槽３に導かれるパイプ１０を電装部品５の前方の箱体６の前面に沿って前壁の段部９を貫通して接続した構成を採ることによって、整水ユニット７とそれに接続されるパイプが占める厚さが、シンク３２の後側に形成される空間４１の奥行き寸法の範囲内に収まる薄い寸法にすることができる。そして、整水ユニット７と浄水器２が横に並んで配置される構成をとることによって、シンク３２後方のデッドスペース４１を有効利用でき、シンク３２下方の空間３３の利用範囲が広くなる効果を奏することができる。
【００３６】
整水ユニット７と浄水器２の厚さが、シンク３２の後側に形成される空間４１の奥行き寸法Ｔの範囲内に収まる寸法とし、整水ユニット７と浄水器２が横に並んで配置される構成をとることによって、より一層、シンク３２後方のデッドスペース４１を有効利用でき、シンク３２の下方空間３３の利用範囲が広くなる効果がある。
【００３７】
また、吐出パイプ４は二本のパイプ４Ａ、４Ｂで構成され、各パイプ４Ａ、４Ｂはそれぞれ対応する出口パイプ１５、１６を備え、吐出パイプ４Ａ、４Ｂはスイッチ装置８と共に流し台３０の上面に突出した状態に取り付けられ、二本の出口パイプ１５、１６は、その吐出口１５Ａ、１６Ａが同等又は略同等になる高さに配置している。このため、流し台３０の上方への両パイプ１５、１６の立ち上がり高さを可能な条件の範囲で低くし、両パイプ１５、１６の立ち上がり高さと吐出口１５Ａ、１６Ａの高さを同等又は略同等になるように構成している。
【００３８】
この一つの実施形態を図６に拡大で示しており、両パイプ１５、１６の出口１５Ａ、１６Ａの流し台３０の上方への立ち上がり高さＴ１は１８５ｍｍであり、Ｔ２は２０８ｍｍである。両パイプ１５、１６の出口１５Ａ、１６Ａの高さの差を少なくすることで、水頭差を小さく抑えている。これによって両パイプ１５、１６の水切りが良好且つ同等となる。
【００３９】
浄水器２は、その上面側にそれぞれ可撓性のパイプ１０とパイプ１３がワンタッチジョイント３９、４０によって接続され、浄水器２はこのワンタッチジョイント３９、４０によってパイプ１０とパイプ１３に着脱自在である。このワンタッチジョイント３９、４０は、工具なしに着脱できる周知のものであり、この着脱によって、浄水器２の不織布のフィルタ、粒状活性炭の浄化層及び中空糸膜が収納されたカートリッジフィルタの交換を容易にしている。
【００４０】
本発明は、上記実施形態に限定されず、本発明の技術的範囲を逸脱しない限り種種の変更が考えられ、それに係る種種の実施形態を包含するものである。
【００４１】
【発明の効果】
本発明によると、整水ユニットは、流し台のシンクの後側に形成される空間の奥行き範囲内に設置できるため、シンク下方空間は物の収納空間として有効利用できる。
【００４２】
また、前記両吐出パイプと前記整水ユニットの上部とがシンクの後側に形成される空間に侵入した状態に配置される構成をとることによって、より一層シンク後方のデッドスペースを有効利用でき、電解槽から出口パイプ（メインパイプ、サブパイプ）へ至る配管と、スイッチ装置に接続する電気配線も、デッドスペースであるシンク後方の空間を略垂直に立ち上がることによって短くでき、このような配管と電気配線がシンク下方空間に延びたことにより生じ易くなる、物の出し入れの邪魔や破損等の問題も解決される。
【００４４】
更に、前記一方の吐出パイプに接続されて吐出口が下向くように屈曲した直径の大きいメインパイプが前記水栓ケースの上面より上方へ延び、前記他方の吐出パイプに接続されて吐出口が下向くように屈曲した直径の小さいサブパイプが前記水栓ケースの上面より上方へ延び、前記メインパイプと前記サブパイプの立ち上がり高さ、及び前記メインパイプと前記サブパイプの吐出口の高さを、それぞれ同等または略同等にしたため、スイッチＯＦＦ時における両パイプからの水切れが同等となり、一方のパイプからの水切りが長く続くことによる不快感を拭うことができる。
【図面の簡単な説明】
【図１】本発明の整水装置を流し台に設置した状態の正面視での説明図である。
【図２】本発明の整水装置を流し台に設置した状態の側面視での説明図である。
【図３】本発明の整水ユニットの背面図である。
【図４】本発明の整水ユニットの平面図である。
【図５】本発明の整水ユニットの内部説明図である。
【図６】本発明のスイッチ装置の内部構造を示す説明図である。
【符号の説明】
１……整水装置
２……浄水器
３……電解槽
４、４Ａ、４Ｂ……吐出パイプ
５……電装部品
６……箱体
７……整水ユニット
８……スイッチ装置
９……段部
１０、１３…パイプ
１４…電磁弁
３０…流し台
３１…上板
３２…シンク
３３…収納空間
４１…シンク後側空間
【図１】
0003646256.tif 000002
【図２】
0003646256.tif 000003
【図３】
0003646256.tif 000004
【図４】
0003646256.tif 000005
【図５】
0003646256.tif 000006
【図６】
0003646256.tif 000007